(57)【要約】【課題】移動局装置と基地局装置との間で効率的に測定ギャップを設定すること。【解決手段】複数の周波数帯域のセルで送受信を行なう基地局装置と、設定された複数の周波数帯域のセルを同時に用いて基地局装置と無線接続する移動局装置から構成される通信システムにおいて、基地局装置は、移動局装置に対して周波数帯域の測定に必要な情報を周波数帯域毎に複数設定し、移動局装置は、移動局装置の受信能力に基づき、設定された複数の周波数帯域を測定するために少なくとも一つの周波数帯域の受信処理を停止する必要があるか否かを判断し、判断結果を示すギャップ要否情報を生成して基地局装置に対して送信する。【選択図】図４
2011249964.tif 000002
【特許請求の範囲】
【請求項１】
複数の周波数帯域のセルで送受信を行なう基地局装置と、設定された前記複数の周波数帯域のセルを同時に用いて前記基地局装置と無線接続する移動局装置から構成される通信システムであって、
前記基地局装置は、前記移動局装置に対して周波数帯域の測定に必要な情報を周波数帯域毎に複数設定し、
前記移動局装置は、前記移動局装置の受信能力に基づき、前記設定された複数の周波数帯域を測定するために少なくとも一つの周波数帯域の受信処理を停止する必要があるか否かを判断し、前記判断結果を示すギャップ要否情報を生成して前記基地局装置に対して送信することを特徴とする通信システム。
【請求項２】
前記移動局装置は、前記設定された複数の周波数帯域が一つの無線周波数チェインで受信可能である場合に、周波数帯域の受信処理を停止する必要がないと判断することを特徴とする請求項１記載の通信システム。
【請求項３】
前記移動局装置は、前記設定された複数の周波数帯域が複数の無線周波数チェインで受信可能である場合に、周波数帯域の受信処理を停止する必要がないと判断することを特徴とする請求項１記載の通信システム。
【請求項４】
前記移動局装置は、前記設定された複数の周波数帯域が一つまたは複数の無線周波数チェインで受信可能でない場合に、少なくとも一つの周波数帯域の受信処理を停止する必要があると判断することを特徴とする請求項１記載の通信システム。
【請求項５】
前記移動局装置は、受信処理を停止する少なくとも一つの周波数帯域に対して測定ギャップの設定が必要なことを示す情報を前記ギャップ要否情報として設定することを特徴とする請求項４記載の通信システム。
【請求項６】
前記ギャップ要否情報は、ＲＲＣ接続再設定完了メッセージに含まれることを特徴とする請求項５に記載の通信システム。
【請求項７】
前記ギャップ要否情報は、測定設定完了メッセージに含まれることを特徴とする請求項５に記載の通信システム。
【請求項８】
複数の周波数帯域のセルで送受信を行なう基地局装置と、設定された前記複数の周波数帯域のセルを同時に用いて前記基地局装置と無線接続する移動局装置から構成される通信システムにおける移動局装置であって、
前記基地局装置から受信した複数の周波数帯域の測定に必要な情報を周波数帯域毎に複数設定し、
前記移動局装置の受信能力に基づき、前記設定された複数の周波数帯域を測定するために少なくとも一つの周波数帯域の受信処理を停止する必要があるか否かを判断し、前記判断結果を示すギャップ要否情報を生成して前記基地局装置に対して送信することを特徴とする移動局装置。
【請求項９】
前記設定された複数の周波数帯域が一つの無線周波数チェインで受信可能である場合に、周波数帯域の受信処理を停止する必要がないと判断することを特徴とする請求項８記載の移動局装置。
【請求項１０】
前記設定された複数の周波数帯域が複数の無線周波数チェインで受信可能である場合に、周波数帯域の受信処理を停止する必要がないと判断することを特徴とする請求項８記載の移動局装置。
【請求項１１】
前記設定された複数の周波数帯域が一つまたは複数の無線周波数チェインで受信可能でない場合に、少なくとも一つの周波数帯域の受信処理を停止する必要があると判断することを特徴とする請求項８記載の移動局装置。
【請求項１２】
受信処理を停止する少なくとも一つの周波数帯域に対して測定ギャップの設定が必要なことを示す情報を前記ギャップ要否情報として設定することを特徴とする請求項１１記載の移動局装置。
【請求項１３】
複数の周波数帯域のセルで送受信を行なう基地局装置と、設定された前記複数の周波数帯域のセルを同時に用いて前記基地局装置と無線接続する移動局装置から構成される通信システムにおける基地局装置であって、
前記移動局装置に対して周波数帯域の測定に必要な情報を周波数帯域毎に複数設定し、前記設定した周波数帯域に対して少なくとも一つの周波数帯域の受信処理を停止する必要があるか否か示すギャップ要否情報を前記移動局装置から受信し、
前記ギャップ要否情報が示す周波数帯域に対して測定ギャップを設定することを特徴とする基地局装置。
【請求項１４】
複数の周波数帯域のセルで送受信を行なう基地局装置と、設定された前記複数の周波数帯域のセルを同時に用いて前記基地局装置と無線接続する移動局装置の測定方法であって、
前記基地局装置から受信した複数の周波数帯域の測定に必要な情報を周波数帯域毎に複数設定し、
前記移動局装置の受信能力に基づき、前記設定された複数の周波数帯域を測定するために少なくとも一つの周波数帯域の受信処理を停止する必要があるか否かを判断し、前記判断結果を示すギャップ要否情報を生成して前記基地局装置に対して送信することを特徴とする測定方法。
【請求項１５】
複数の周波数帯域のセルで送受信を行なう基地局装置と、設定された前記複数の周波数帯域のセルを同時に用いて前記基地局装置と無線接続する移動局装置に実装されることにより、前記移動局装置に複数の機能を発揮させる集積回路であって、
前記基地局装置から受信した複数の周波数帯域の測定に必要な情報を周波数帯域毎に複数設定する機能と、
前記移動局装置の受信能力に基づき、前記設定された複数の周波数帯域を測定するために少なくとも一つの周波数帯域の受信処理を停止する必要があるか否かを判断する機能と、前記判断結果を示すギャップ要否情報を生成して前記基地局装置に対して送信する機能と、を含む一連の機能を、前記移動局装置に発揮させることを特徴とする集積回路。
【発明の詳細な説明】
【技術分野】
【０００１】
本発明は、通信システム、移動局装置、基地局装置、測定方法及び集積回路に関し、特に、移動局装置が設定された複数の周波数帯域を同時に用いて基地局装置と無線接続している場合の周波数帯域の測定方法に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）が検討され、更にその発展形であるＡｄｖａｎｃｅｄ  ＥＵＴＲＡ（LTE-Advancedとも称される）の検討が進められている。
【０００３】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Ｃａｒｒｉｅｒ  Ａｇｇｒｅｇａｔｉｏｎ）が提案されている。キャリア・アグリゲーションとは、複数の異なる周波数帯域（キャリア周波数、コンポーネントキャリア（Ｃｏｍｐｏｎｅｎｔ  Ｃａｒｒｉｅｒ）とも称する）で送信された送信装置のデータを、異なる周波数帯域に対応する受信装置においてそれぞれ受信することで、データレートを向上させる技術である。なお、以後は下りリンク送信における受信装置のことを移動局装置、下りリンク送信における送信装置のことを基地局装置と記載し、上りリンク送信における受信装置のことを基地局装置、上りリンク送信における送信装置のことを移動局装置と記載するが、本発明の適用範囲はこれらの装置に限定する必要は無い。
【０００４】
Ａｄｖａｎｃｅｄ  ＥＵＴＲＡの移動局装置（以後、移動局装置と称する）は、複数のコンポーネントキャリアの受信、及び測定を行なう必要があることから、ＥＵＴＲＡよりも広範囲の受信機器または複数の受信機器を備えることが想定される。例えば、ＥＵＴＲＡに適用される周波数帯域幅は最大２０ＭＨｚであったが、Ａｄｖａｎｃｅｄ  ＥＵＴＲＡでは、キャリア・アグリゲーションによって周波数帯域幅が最大１００ＭＨｚにまで拡張される。
【０００５】
このとき、移動局装置の受信機器の構成として、１００ＭＨｚの受信機器を一つ備えても良いし、２０ＭＨｚの受信機器を５つ備えることも可能である。このように、移動局装置毎に異なる受信機器の構成が可能な場合、従来の一つの受信機器の構成とは異なる測定制御が必要になることが指摘されている。受信機器は、受信アンテナと無線ベースバンド処理部とを含む。
【０００６】
非特許文献１では、キャリア・アグリゲーション中の移動局装置の異周波数測定に関して、移動局装置能力（ＵＥ  ｃａｐａｂｉｌｉｔｙ）と、無線周波数チェイン（Ｒａｄｉｏ  Ｆｒｅｑｕｅｎｃｙ  Ｃｈａｉｎ）設定に基づいて、測定ギャップ（Ｍｅａｓｕｒｅｍｅｎｔ  ｇａｐ）無しで異周波数測定が可能な場合と測定ギャップが必要な場合が存在することを示されている。移動局装置能力は、特に受信能力（受信可能な周波数バンドや測定可能な周波数帯域に関する能力）が考慮される。
【０００７】
無線周波数チェインとは、移動局装置における、ある周波数バンドの最大の受信帯域幅と受信機器の構成の組み合わせを示し、複数の無線周波数チェインが設定可能であっても良い。測定ギャップとは、移動局装置がある周波数帯域のセルの受信処理を停止して、別の周波数帯域の測定を行なうために必要であり、移動局装置に対するデータパケットの割り当てがないことを保障する区間である。
【０００８】
例えば、移動局装置が２つの受信機器を備えており、一方（無線周波数チェイン＿１）は８００ＭＨｚ帯および２ＧＨｚ帯で６０ＭＨｚの周波数帯域幅が受信可能であり、もう一方（無線周波数チェイン＿２）は２ＧＨｚ帯で４０ＭＨｚの周波数帯域幅を受信可能である場合であって、２ＧＨｚ帯において２０ＭＨｚの周波数帯域を３つ同時に受信したい場合（つまり、６０ＭＨｚの受信帯域幅が必要な場合）、移動局装置は、無線周波数チェイン＿１を選択し、当該無線周波数チェイン＿１の受信機器を動作して６０ＭＨｚの受信処理を行うことも可能であるし、無線周波数チェイン＿１の受信機器で２０ＭＨｚを受信し、残る４０ＭＨｚを無線周波数チェイン＿２の受信機器で受信することも可能である。
【０００９】
非特許文献２では、移動局装置の受信機器の構成を通知するために、移動局装置能力（ＵＥ  ｃａｐａｂｉｌｉｔｙ）を拡張し、無線周波数チェインの数、各無線周波数チェインで受信可能な周波数バンド、各無線周波数チェインで受信可能なコンポーネントキャリアの数を新たに基地局装置に送信し、異周波数測定において測定ギャップが必要かどうかを通知することが示されている。
【先行技術文献】
【非特許文献】
【００１０】
【非特許文献１】Ｒ２−１０２４９９，ＮＴＴ  ＤｏＣｏＭｏ，３ＧＰＰ  ＴＳＧ−ＲＡＮ  ＷＧ２  Ｍｅｅｔｉｎｇ  ＃６９ｂｉｓ，Ｂｅｉｊｉｎｇ，Ｃｈｉｎａ，１２ｔｈ−１６ｔｈ  Ａｐｒｉｌ  ２０１０
【非特許文献２】Ｒ４−１０１８４０，Ｓａｍｓｕｎｇ，３ＧＰＰ  ＴＳＧ−ＲＡＮ  ＷＧ４  Ｍｅｅｔｉｎｇ  ＃５５，Ｍｏｎｔｒｅａｌ，Ｃａｎａｄａ，１０ｔｈ−１４ｔｈ  Ｍａｙ  ２０１０
【発明の概要】
【発明が解決しようとする課題】
【００１１】
非特許文献１は、移動局装置が異周波数測定のために測定ギャップを必要としているのかどうかを基地局装置がどのように判断すべきかについて記載されていない。
【００１２】
非特許文献２は、基地局装置が通知された当該移動局装置の移動局装置能力に基づいて測定ギャップの必要可否を推測することができるが、実際に移動局装置が動作させている受信機器までは分からない。そのため、移動局装置が異周波数測定のために測定ギャップが必要な場合であっても、基地局装置が測定ギャップを割り当てないという問題が生じる。
【００１３】
上記の課題を鑑みて、本発明は、移動局装置が設定された複数の周波数帯域を同時に用いて基地局装置と無線接続している場合に、移動局装置と基地局装置との間で効率的に測定ギャップを設定することが可能な通信システム、移動局装置、基地局装置、測定方法及び集積回路を提供することを目的とする。
【課題を解決するための手段】
【００１４】
（１）上記の目的を達成するために、本発明は、以下のような手段を講じた。すなわち、本発明の通信システムは、複数の周波数帯域のセルで送受信を行なう基地局装置と、設定された前記複数の周波数帯域のセルを同時に用いて前記基地局装置と無線接続する移動局装置から構成される通信システムであって、前記基地局装置は、前記移動局装置に対して周波数帯域の測定に必要な情報を周波数帯域毎に複数設定し、前記移動局装置は、前記移動局装置の受信能力に基づき、前記設定された複数の周波数帯域を測定するために少なくとも一つの周波数帯域の受信処理を停止する必要があるか否かを判断し、前記判断結果を示すギャップ要否情報を生成して前記基地局装置に対して送信することを特徴とする。
【００１５】
（２）また、本発明の通信システムにおいて、前記移動局装置は、前記設定された複数の周波数帯域が一つの無線周波数チェインで受信可能である場合に、周波数帯域の受信処理を停止する必要がないと判断することを特徴とする。
【００１６】
（３）また、本発明の通信システムにおいて、前記移動局装置は、前記設定された複数の周波数帯域が複数の無線周波数チェインで受信可能である場合に、周波数帯域の受信処理を停止する必要がないと判断することを特徴とする。
【００１７】
（４）また、本発明の通信システムにおいて、前記移動局装置は、前記設定された複数の周波数帯域が一つまたは複数の無線周波数チェインで受信可能でない場合に、少なくとも一つの周波数帯域の受信処理を停止する必要があると判断することを特徴とする。
【００１８】
（５）また、本発明の通信システムにおいて、前記移動局装置は、受信処理を停止する少なくとも一つの周波数帯域に対して測定ギャップの設定が必要なことを示す情報を前記ギャップ要否情報として設定することを特徴とする。
【００１９】
（６）また、本発明の通信システムにおいて、前記ギャップ要否情報は、ＲＲＣ接続再設定完了メッセージに含まれることを特徴とする。
【００２０】
（７）また、本発明の通信システムにおいて、前記ギャップ要否情報は、測定設定完了メッセージに含まれることを特徴とする。
【００２１】
（８）また、本発明の移動局装置は、複数の周波数帯域のセルで送受信を行なう基地局装置と、設定された前記複数の周波数帯域のセルを同時に用いて前記基地局装置と無線接続する移動局装置から構成される通信システムにおける移動局装置であって、前記基地局装置から受信した複数の周波数帯域の測定に必要な情報を周波数帯域毎に複数設定し、前記移動局装置の受信能力に基づき、前記設定された複数の周波数帯域を測定するために少なくとも一つの周波数帯域の受信処理を停止する必要があるか否かを判断し、前記判断結果を示すギャップ要否情報を生成して前記基地局装置に対して送信することを特徴とする。
【００２２】
（９）また、本発明の移動局装置は、前記設定された複数の周波数帯域が一つの無線周波数チェインで受信可能である場合に、周波数帯域の受信処理を停止する必要がないと判断することを特徴とする。
【００２３】
（１０）また、本発明の移動局装置は、前記設定された複数の周波数帯域が複数の無線周波数チェインで受信可能である場合に、周波数帯域の受信処理を停止する必要がないと判断することを特徴とする。
【００２４】
（１１）また、本発明の移動局装置は、前記設定された複数の周波数帯域が一つまたは複数の無線周波数チェインで受信可能でない場合に、少なくとも一つの周波数帯域の受信処理を停止する必要があると判断することを特徴とする。
【００２５】
（１２）また、本発明の移動局装置は、受信処理を停止する少なくとも一つの周波数帯域に対して測定ギャップの設定が必要なことを示す情報を前記ギャップ要否情報として設定することを特徴とする。
【００２６】
（１３）また、本発明の基地局装置は、複数の周波数帯域のセルで送受信を行なう基地局装置と、設定された前記複数の周波数帯域のセルを同時に用いて前記基地局装置と無線接続する移動局装置から構成される通信システムにおける基地局装置であって、前記移動局装置に対して周波数帯域の測定に必要な情報を周波数帯域毎に複数設定し、前記設定した周波数帯域に対して少なくとも一つの周波数帯域の受信処理を停止する必要があるか否か示すギャップ要否情報を前記移動局装置から受信し、前記ギャップ要否情報が示す周波数帯域に対して測定ギャップを設定することを特徴とする。
【００２７】
（１４）また、本発明の移動局装置の測定方法は、複数の周波数帯域のセルで送受信を行なう基地局装置と、設定された前記複数の周波数帯域のセルを同時に用いて前記基地局装置と無線接続する移動局装置の測定方法であって、前記基地局装置から受信した複数の周波数帯域の測定に必要な情報を周波数帯域毎に複数設定し、前記移動局装置の受信能力に基づき、前記設定された複数の周波数帯域を測定するために少なくとも一つの周波数帯域の受信処理を停止する必要があるか否かを判断し、前記判断結果を示すギャップ要否情報を生成して前記基地局装置に対して送信することを特徴とする。
【００２８】
（１５）また、本発明の移動局装置に実装される集積回路は、複数の周波数帯域のセルで送受信を行なう基地局装置と、設定された前記複数の周波数帯域のセルを同時に用いて前記基地局装置と無線接続する移動局装置に実装されることにより、前記移動局装置に複数の機能を発揮させる集積回路であって、前記基地局装置から受信した複数の周波数帯域の測定に必要な情報を周波数帯域毎に複数設定する機能と、前記移動局装置の受信能力に基づき、前記設定された複数の周波数帯域を測定するために少なくとも一つの周波数帯域の受信処理を停止する必要があるか否かを判断する機能と、前記判断結果を示すギャップ要否情報を生成して前記基地局装置に対して送信する機能と、を含む一連の機能を、前記移動局装置に発揮させることを特徴とする。
【発明の効果】
【００２９】
以上説明したように、本発明によれば、移動局装置が設定された複数の周波数帯域を同時に用いて基地局装置と無線接続している場合に、移動局装置と基地局装置とで測定ギャップの必要性の判断を一致させることが可能な通信システム、移動局装置、基地局装置、測定方法及び集積回路を提供することが出来る。
【図面の簡単な説明】
【００３０】
【図１】本発明の実施形態に係る移動局装置１の一例を示したブロック図である。
【図２】本発明の実施形態に係る基地局装置２の一例を示したブロック図である。
【図３】本発明の第１の実施形態に係る移動局装置１が移動局装置能力を通知する方法について示したシーケンスチャート図の一例である。
【図４】本発明の第１の実施形態に係る移動局装置１が異周波数測定を行なう際に測定ギャップの必要性を基地局装置２へ通知する方法について示したシーケンスチャート図である。
【図５】本発明の第２の実施形態に係る移動局装置１が異周波数測定を行なう際に測定ギャップの必要性を基地局装置２へ通知する方法について示したシーケンスチャート図である。
【図６】本発明の第２の実施形態に係る移動局装置１が異周波数測定を行なう際に測定ギャップの必要性を基地局装置２へ通知する方法について示した別のシーケンスチャート図である。
【図７】本発明の実施形態に係る通信ネットワーク構成の一例を示す図である。
【発明を実施するための形態】
【００３１】
本発明の実施形態を説明する前に、本発明に関する物理チャネル、キャリア・アグリゲーションについて説明する。
【００３２】
[物理チャネル]
ＥＵＴＲＡ及びＡｄｖａｎｃｅｄ  ＥＵＴＲＡで使用される物理チャネル（または物理シグナル）について説明を行なう。物理チャネルは、基地局装置から移動局装置へ送信される下りリンクにおける下りリンクチャネルと、移動局装置から基地局装置へ送信される上りリンクにおける上りリンクチャネルとが存在する。物理チャネルは、ＥＵＴＲＡ、及びＡｄｖａｎｃｅｄ  ＥＵＴＲＡにおいて、今後追加、または、その構造が変更される可能性もあるが、変更された場合でも本発明の各実施形態の説明には影響しない。
【００３３】
同期シグナル（Synchronization Signals）は、３種類のプライマリ同期シグナルと、周波数バンドで互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ、PCI; Physical Cell Identifier）と、無線同期のためのフレームタイミングが示される。移動局装置は、セルサーチによって受信した同期シグナルのセルＩＤを特定する。
【００３４】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンクデータチャネルを用いてレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、セルの周波数帯域幅や下りリンクと上りリンクの周波数帯域の対応関係などが通知される。
【００３５】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンクデータチャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００３６】
下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割当て情報を取得する必要がある。
【００３７】
下りリンクデータチャネル（PDSCH; Physical Downlink Shared Channel）は、下りリンクデータの他、下りリンク制御データであるレイヤ３メッセージとしてページングや報知情報を通知するためにも使用される。下りリンクデータチャネルの無線リソース割当て情報は、下りリンク制御チャネルで示される。
【００３８】
上りリンクデータチャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に上りリンクデータチャネルの無線リソース割当て情報は、下りリンク制御チャネルで示される。
【００３９】
ランダムアクセスチャネル（PRACH; Physical Random Access Channel）は、プリアンブル系列を通知するために使用されるチャネルであり、ガードタイムを持つ。ランダムアクセスチャネルは、移動局装置の基地局装置へのアクセス手段として用いられる。移動局装置は、上りリンク制御チャネル未設定時の送信データのスケジューリング要求や、上りリンク送信タイミングを基地局装置の受信タイミングウィンドウに合わせるために必要な送信タイミング調整情報の要求にランダムアクセスチャネルを用いる。送信タイミング調整情報を受信した移動局装置は、送信タイミング調整情報の有効時間を設定し、有効時間中は送信タイミング調整状態、有効期間外は、送信タイミング非調整状態として状態を管理する。基地局装置は、移動局装置に対して個別プリアンブル系列（Dedicated preamble）を割り当てて、ランダムアクセスを開始させることも可能である。なお、それ以外の物理チャネルは、本発明の各実施形態に関わらないため詳細な説明は省略する。
【００４０】
[キャリア・アグリゲーション]
キャリア・アグリゲーションとは、複数の異なる上りリンクまたは下りリンクの周波数帯域（コンポーネントキャリア）を集約（アグリゲーション）して一つの周波数帯域のように扱う技術である。例えば、キャリア・アグリゲーションによって周波数帯域幅が２０ＭＨｚのコンポーネントキャリアを５つ集約した場合、移動局装置は１００ＭＨｚの周波数帯域幅とみなしてアクセスすることが可能となる。なお、集約するコンポーネントキャリアは連続した周波数帯域であっても、全てまたは一部が不連続となる周波数帯域であってもよい。例えば、使用可能な周波数帯域が８００ＭＨｚ帯域、２．４ＧＨｚ帯域、３．４ＧＨｚ帯域である場合、ある一つのコンポーネントキャリアが８００ＭＨｚ帯域、別のコンポーネントキャリアが２ＧＨｚ帯域、さらに別のコンポーネントキャリアが３．４ＧＨｚ帯域で送信されていてもよい。
【００４１】
また、同一周波数帯域、例えば２．４ＧＨｚ帯域内の連続または不連続のコンポーネントキャリアを集約することも可能である。各コンポーネントキャリアの周波数帯域幅は２０ＭＨｚより狭い周波数帯域幅であっても良く、各々異なっていても良い。
【００４２】
基地局装置は、移動局装置の送信データバッファ量や移動局装置の受信品質、セル内の負荷やＱｏＳなどの種々の要因に基づいて、移動局装置に割り当てる上りリンクまたは下りリンクのコンポーネントキャリアの数を増減することができる。
【００４３】
また、コンポーネントキャリアは、プライマリコンポーネントキャリア（ＰＣＣ；Ｐｒｉｍａｒｙ  Ｃｏｍｐｏｎｅｎｔ  Ｃａｒｒｉｅｒ）とセカンダリコンポーネントキャリア（ＳＣＣ；Ｓｅｃｏｎｄａｒｙ  Ｃｏｍｐｏｎｅｎｔ  Ｃａｒｒｉｅｒ）とに識別される。プライマリコンポーネントキャリアとは、典型的には報知情報で指示される一組の上りリンクコンポーネントキャリアと下りリンクコンポーネントキャリアから成り、移動局装置が測定制御や下りリンクの無線リンク障害（Ｒａｄｉｏ  Ｌｉｎｋ  Ｆａｉｕｒｅ）の検出、及び上りリンク制御チャネルの送信の基準となる周波数帯域である。基地局装置は、プライマリコンポーネントキャリアは、移動局装置毎に設定することも出来る。
【００４４】
セカンダリコンポーネントキャリアとは、プライマリコンポーネントキャリア以外の移動局装置に割り当てられた周波数帯域のことである。移動局装置は、セカンダリコンポーネントキャリアで無線リンク障害を検出する必要は無い。基地局装置は、移動局装置に対し、省電力化のために割り当てたセカンダリコンポーネントキャリアの活性化／不活性化（アクティベーション／ディアクティベーション）を指示することも出来る。移動局装置は、活性化されたセカンダリコンポーネントキャリアのセルにおいてのみ下りリンク制御チャネルを監視して下りリンクデータチャネルの受信を試み、不活性化されたセカンダリコンポーネントキャリアのセルでは、下りリンク制御チャネルを監視せずに受信品質の測定のみを行なうことも出来る。
【００４５】
すなわち、移動局装置は、コンポーネントキャリアの状態を、（１）設定され活性化された状態、（２）設定されたが不活性の状態、（３）設定されていない状態、に分類して管理する。また、セカンダリコンポーネントキャリアの活性化／不活性化という状態を省略することで、移動局装置は、単純にセカンダリコンポーネントキャリアが設定されたか否かという２つの状態だけを管理するような構成であっても良い。
【００４６】
[本発明の通信ネットワーク構成の例]
図７は、本発明の実施形態に係る通信ネットワーク構成の一例を示す図である。移動局装置１は、キャリア・アグリゲーションによって複数の周波数帯域（コンポーネントキャリア、Band1~Band3）のセルを同時に用いて基地局装置２と無線接続することが可能な場合、通信ネットワーク構成としては、ある一つの基地局装置２が複数の周波数帯域毎に送信装置１１〜１３（及び図示しない受信装置２１〜２３）を備えており、各周波数帯域のセルの制御を一つの基地局装置２で行なう構成が制御の簡略化の観点から好適である。ただし、複数の周波数帯域が連続する周波数帯域であるなどの理由で、基地局装置２が一つの送信装置で複数の周波数帯域の送信を行なう構成であっても構わない。基地局装置２の送信装置によって制御される各周波数帯域の通信可能範囲はセルとしてみなされ、空間的に同一のエリアに存在する。このとき、各周波数帯域がカバーするエリア（セル）はそれぞれ異なる広さ、異なる形状であっても良い。また、複数の基地局装置２でキャリア・アグリゲーションされる周波数帯域を管理し、上位の制御局装置が、複数の基地局装置２を管理する通信ネットワーク構成であっても良い。
【００４７】
移動局装置１に設定されたプライマリコンポーネントキャリアのセルは、プライマリサービングセル（Ｐｒｉｍａｒｙ  Ｓｅｒｖｉｎｇ  Ｃｅｌｌ、または単にサービングセル（Ｓｅｒｖｉｎｇ  Ｃｅｌｌ）と称する）であり、セカンダリコンポーネントキャリアのセルはセカンダリサービングセル（Ｓｅｃｏｎｄａｒｙ  Ｓｅｒｖｉｎｇ  Ｃｅｌｌ）である。すなわち、キャリア・アグリゲーションを行なう移動局装置１は、プライマリサービングセルと一つまたは複数のセカンダリサービングセルとを介して基地局装置２と接続される。
【００４８】
なお、３ＧＰＰが規定する第３世代の基地局装置２はノードＢ（NodeB）と称され、ＥＵＴＲＡ及びＡｄｖａｎｃｅｄ  ＥＵＴＲＡにおける基地局装置２はイーノードＢ（eNodeB）と称される。基地局装置２は移動局装置１が通信可能なエリアであるセルを管理し、セルは移動局装置１と通信可能なエリアの大きさに応じてフェムトセルやピコセル、ナノセルとも称される。また、移動局装置１がある基地局装置２と通信可能であるとき、その基地局装置２のセルは移動局装置１の在圏セルであり、その他の基地局装置２のセルは周辺セルと称される。
【００４９】
後述する記載において、基地局装置２が形成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。本発明でコンポーネントキャリアをセルと称することで、実際に運用される通信システムにおけるセルの定義と異なる場合が発生したとしても、本発明の主旨には影響しない。なお、移動局装置１は、リレー局装置（またはリピーター）を介して基地局装置２と無線接続されても良い。
【００５０】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判断される場合には、その詳細な説明を省略する。
【００５１】
＜第１の実施形態＞
本発明の第１の実施形態について以下に説明する。本実施形態は、キャリア・アグリゲーション中の移動局装置１が、コンポーネントキャリアの割り当て後に測定ギャップが必要な周波数帯域を基地局装置に通知する方法に関する。
【００５２】
図１は、本発明の実施形態に係る移動局装置１の一例を示すブロック図である。本移動局装置１は、受信部１０１、復調部１０２、復号部１０３、測定処理部１０４、制御部１０５、ランダムアクセス処理部１０６、符号部１０７、変調部１０８、送信部１０９、上位レイヤ１１０から構成される。受信に先立ち、上位レイヤ１１０より制御部１０５へ移動局装置制御情報が入力され、受信に関する移動局装置制御情報が受信制御情報として、受信部１０１、復調部１０２、復号部１０３、測定処理部１０４へ適切に入力される。受信制御情報は、受信スケジュール情報として、復調情報、復号化情報、受信周波数帯域の情報、各チャネルに関する受信タイミング、多重方法、無線リソース配置情報などの情報が含まれている。
【００５３】
受信信号は、一つ以上のアンテナ（図示せず）を介して受信部１０１において受信される。受信部１０１は、受信制御情報で通知された周波数帯域で信号を受信する。受信部１０１は受信信号のベースバンド処理部を含む。受信信号は復調部１０２へと入力される。復調部１０２は、受信信号を復調して復号部１０３へと受信信号を入力する。復号部１０３は、受信制御情報に基づき受信信号を正しく復号する。復号部１０３は、受信信号を下りリンクトラフィックデータと下りリンク制御データに適切に分離し、それぞれ上位レイヤ１１０へ入力する。
【００５４】
また、復号部１０３は測定に関する復号した受信信号を測定処理部１０４へ入力する。測定処理部１０４は、セル毎の下りリンクリファレンスシグナルの受信品質の測定処理や、下りリンク制御チャネルまたは下りリンクデータチャネルの受信誤り率の測定処理を行ない、測定した受信品質をサンプル毎に平均化（フィルタリング）した下りリンク測定情報を生成し、下りリンク測定情報を上位レイヤ１１０へ出力する。また、測定処理部１０４は、得られた受信品質と下りリンク同期誤りの検出に用いる閾値（Ｑｏｕｔとも呼ばれる）とを比較し、必要に応じて下りリンク同期誤りを上位レイヤ１１０へ出力する。
【００５５】
また、送信に先立ち、上位レイヤ１１０より制御部１０５へ移動局装置制御情報が入力され、送信に関する移動局装置制御情報が送信制御情報として、ランダムアクセス処理部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス処理部１０６には、上位レイヤ１１０からランダムアクセスに必要な無線リソース情報や最大送信回数などのランダムアクセスチャネルの送信に必要なランダムアクセス情報が入力される。また、ランダムアクセス処理部１０６は、ランダムアクセスチャネルの送信回数をカウントすることで、ランダムアクセス問題を検出した場合、ランダムアクセス問題が発生したことを示すランダムアクセス問題情報を上位レイヤ１１０へ通知する。
【００５６】
符号部１０７には、上位レイヤ１１０より上りリンクトラフィックデータと上りリンク制御データ、ランダムアクセス処理部１０６からランダムアクセスデータとが上りリンクチャネルに応じて適切に入力される。符号部１０７は送信制御情報に従い、各データを適切に符号化し、変調部１０８に出力する。変調部１０８は、符号部１０７からの入力を変調する。
【００５７】
送信部１０９は、変調部１０８の出力を周波数バンドにマッピングすると共に、周波数バンドの信号を時間領域の信号へ変換し、既定の周波数の搬送波にのせて電力増幅を行なうと共に送信する。上りリンク制御データが配置される上りリンクデータチャネルは、典型的にはレイヤ３メッセージ（無線リソース制御メッセージ；ＲＲＣメッセージ）を構成する。移動局装置１のＲＲＣは上位レイヤ１１０の一部として存在する。また、ランダムアクセス処理部１０６は、移動局装置１のデータリンク層を管理するＭＡＣ（Medium Access Control）の一部として存在する。図１において、その他の移動局装置１の構成要素は本実施形態に関係ないため省略してある。
【００５８】
図２は、本発明の実施形態による基地局装置２の一例を示すブロック図である。本基地局装置２は、受信部２０１、復調部２０２、復号部２０３、制御部２０４、符号部２０５、変調部２０６、送信部２０７、ネットワーク信号処理部２０８、周辺情報管理部２０９、上位レイヤ２１０から構成される。
【００５９】
上位レイヤ２１０は、下りリンクトラフィックデータと下りリンク制御データを符号部２０５へ入力する。符号部２０５は、入力された各データを符号化し、変調部２０６へ入力する。変調部２０６は、符号化した信号の変調を行なう。また、変調部２０６において、変調された信号に対して下りリンクリファレンスシグナルが多重され、周波数バンドにマッピングされる。送信部２０７は、変調部２０６から出力された周波数バンドの信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣメッセージ）を構成する。
【００６０】
また、受信部２０１は、移動局装置１からの受信信号をベースバンドのディジタル信号に変換する。ディジタル信号は、復調部２０２へ入力されて復調される。復調部２０２で復調された信号は続いて復号部２０３へ入力されて復号される。復号部２０３は、受信信号を上りリンクトラフィックデータと上りリンク制御データに適切に分離し、それぞれ上位レイヤ２１０へ入力する。
【００６１】
これら各ブロックの制御に必要な基地局装置制御情報は、上位レイヤ２１０より制御部２０４へ入力され、制御部２０４より送信に関連する基地局装置制御情報は送信制御情報として、符号部２０５、変調部２０６、送信部２０７の各ブロックに、受信に関連する基地局装置制御情報は受信制御情報として、受信部２０１、復調部２０２、復号部２０３の各ブロックに適切に入力される。
【００６２】
一方、ネットワーク信号処理部２０８は、基地局装置２間（または制御局装置（ＭＭＥ）、ゲートウェイ装置（Ｇａｔｅｗａｙ）、リレー局装置）と基地局装置２との間の制御メッセージの送信または受信を行なう。制御メッセージはネットワーク回線を経由して送受信される。周辺情報管理部２０９は、送信先または送信元の基地局装置２（または制御局装置、ゲートウェイ装置、リレー局装置）を特定するためのネットワーク情報を管理する。ネットワーク情報は、例えばトラッキングエリア識別子（TAI）、セルグローバル識別子（CGI）、セル識別子（PCI）、ネットワークカラーコード、インターネットプロトコルアドレス（ＩＰアドレス）などの各装置のネットワーク上でのアドレスを特定可能な情報から構成される。また、制御メッセージは、Ｘ２インターフェースと呼ばれる論理インターフェース上でやり取りされる。ネットワーク回線は、典型的には有線回線であるが、例えばリレー局装置と通信する場合は無線回線であっても良い。
【００６３】
周辺情報管理部２０９は、必要に応じてネットワーク信号処理部２０８にネットワーク情報を提供する。ネットワーク信号処理部２０８と周辺情報管理部２０９は上位レイヤが管理する。基地局装置２のＲＲＣは、上位レイヤ２１０の一部として存在する。図２において、その他の基地局装置２の構成要素は本実施形態に関係ないため省略してある。
【００６４】
続いて、本実施形態の移動局装置１が基地局装置２に対して測定ギャップの必要性を通知する測定方法について説明を行なう。以下に示す測定方法は、移動局装置１の測定処理部１０４で行なわれる。
【００６５】
図３は、移動局装置１から基地局装置２に対し、移動局装置１の移動局装置能力を通知すること示したシーケンスチャート図である。また、図４は、本発明の第１の実施形態に係る移動局装置１が異周波数測定を行なう際に測定ギャップの必要性を基地局装置２へ通知する方法について示したシーケンスチャート図である。
【００６６】
移動局装置１は、キャリア・アグリゲーションとして複数の周波数帯域（コンポーネントキャリア）のセルが割り当てられる（ａｌｌｏｃａｔｅ、ｃｏｎｆｉｇｕｒｅ）前、すなわち最大２０ＭＨｚまでのある一つの周波数帯域のセルで基地局装置２と接続している状態において、移動局装置１が備える任意の受信機器を、割り当てられた周波数帯域を受信可能なように当該受信機器の無線周波数チェインの中心周波数を調整（ｔｕｎｅ）する。そして、移動局装置１と基地局装置２とが通信を開始する状態（ステップＳ０１）において、好ましくはＲＲＣ接続を確立する段階において、移動局装置１の受信能力が移動局装置能力通知メッセージを用いて基地局装置２に対して通知される。また、移動局装置１は、前記移動局装置能力通知メッセージを基地局装置２ではなく更に上位の制御局装置に通知しても良い。
【００６７】
当該移動局装置１がキャリア・アグリゲーションを実行可能な場合、通知される移動局装置１の移動局装置能力（ＵＥ  Ｃａｐａｂｉｌｉｔｙ）には、移動局装置１の受信能力として、無線周波数チェインの数、各無線周波数チェインで受信可能な周波数バンド、各無線周波数チェインで受信可能なコンポーネントキャリアの数、あるいは各無線周波数チェインの最大受信帯域幅の情報を含めることが出来る。
【００６８】
続いて、図４に示すように、基地局装置２は、移動局装置能力通知メッセージで通知された、移動局装置１の移動局装置能力に含まれる受信能力に基づいてキャリア・アグリゲーション設定を行なう（ステップＳ１０）。そして、基地局装置２は、キャリア・アグリゲーションが必要であれば、下りリンクコンポーネントキャリア（図４の例ではＤＬ＿ＣＣ２）の追加（ａｄｄｉｔｉｏｎ）をＲＲＣ接続再設定メッセージ用いて移動局装置１へ指示する（ステップＳ１１）。なお、実際には下りリンクコンポーネントキャリアＤＬ＿ＣＣ２で運用されるセルがキャリア・アグリゲーションの対象セルとして指示され、移動局装置１は当該セルで通信を行なうことに注意する。
【００６９】
ここで、図４の基地局装置２は、キャリア・アグリゲーション可能な下りリンクコンポーネントキャリアとして２つの下りリンクコンポーネントキャリア（ＤＬ＿ＣＣ１とＤＬ＿ＣＣ２）を管理している例を示しているが、２つ以上の下りリンクコンポーネントキャリアを管理していても良い。
【００７０】
なお、下りリンクコンポーネントキャリアを追加することによって、当然ながら当該下りリンクコンポーネントキャリアに対応する上りリンクコンポーネントキャリアが追加され、これら下りリンクコンポーネントキャリアと上りリンクコンポーネントキャリアのペアをセットとしたセル（セカンダリサービングセル）が移動局装置１に割り当てられることになるが、これらの設定については説明を省略する。
【００７１】
続いて移動局装置１は、無線周波数設定において指示された下りリンクコンポーネントキャリアＤＬ＿ＣＣ２を追加すると共に、具備する受信機器の受信設定を更新する。（ステップＳ１２）。具体的には、移動局装置１は、その移動局装置能力に応じて使用中の受信機器の中心周波数を再調整（ｒｅｔｕｎｅ）したり、未使用の新たな受信機器を作動したりする。移動局装置１は、下りリンクコンポーネントキャリアＤＬ＿ＣＣ２を新たな無線周波数チェインを設定して受信する場合もあれば、既存の無線周波数チェインで受信する場合もある。移動局装置１は、指示された下りリンクコンポーネントキャリアＤＬ＿ＣＣ２を受信するための設定を行なうが、下りリンクコンポーネントキャリアＤＬ＿ＣＣ２に対する測定設定（ｍｅａｓｕｒｅｍｅｎｔ  ｃｏｎｆｉｇｕｒａｔｉｏｎ）を受信していないため、この時点では下りリンクコンポーネントキャリアＤＬ＿ＣＣ２の測定も受信も開始されていないことに注意する。すなわち、下りリンクコンポーネントキャリアＤＬ＿ＣＣ２の状態は、設定されたが不活性の状態である。
【００７２】
また、ステップＳ１２において、移動局装置１は、無線周波数設定を実施した後に追加した下りリンクコンポーネントキャリアＤＬ＿ＣＣ２を受信するために測定ギャップが必要か否かの判断を行う。そして、移動局装置１は、下りリンクコンポーネントキャリアＤＬ＿ＣＣ２に対して測定ギャップが必要か否かの情報（ギャップ要否情報）をＲＲＣ接続再設定完了メッセージに含めて基地局装置２へ送信する（ステップＳ１３）。
【００７３】
典型的には、新たに受信機器を作動させる場合や、割り当てられた下りリンクコンポーネントキャリアが受信中の下りリンクコンポーネントキャリアに隣接する周波数帯域であり、無線周波数チェインの中心周波数の調整のみで受信可能である場合は、測定ギャップが不要である。また、典型的には、新たに作動させる受信機器が無く、割り当てられた下りリンクコンポーネントキャリアを受信するために、他の下りリンクコンポーネントキャリアの受信を一時中断する必要がある場合、測定ギャップが必要である。
【００７４】
ギャップ要否情報は、１ビットのオン／オフのフラグであっても良いし、ギャップが必要（または不要）なときのみに設定されるＢｏｏｌｅａｎ型のフラグであっても良い。複数同時に下りリンクコンポーネントキャリアが設定される場合、移動局装置１は、それぞれの下りリンクコンポーネントキャリアに対してギャップ要否情報を設定してＲＲＣ接続再設定完了メッセージを送信することも可能である。
【００７５】
ＲＲＣ接続再設定完了メッセージを受信した基地局装置２は、下りリンクコンポーネントキャリアＤＬ＿ＣＣ２に関するギャップ要否情報に基づいて測定設定メッセージを移動局装置１へ送信する（ステップＳ１４）。すなわち、基地局装置２は、測定ギャップが必要である場合、測定ギャップが必要であることを示す情報（測定ギャップ設定）を含めた測定設定メッセージを移動局装置１へ送信する。一方、基地局装置２は、測定ギャップが必要ない場合、測定設定メッセージに測定ギャップ設定を含めずに移動局装置１へ送信する。あるいは、基地局装置２は、測定ギャップが必要ない場合、測定設定メッセージに測定ギャップ情報が不要であることを示す情報を設定して移動局装置１へ送信する。
【００７６】
基地局装置２は、測定ギャップを用いた異周波数測定を移動局装置１に開始させる場合、測定ギャップ設定として、測定ギャップの周期を示すパターン設定と、測定ギャップの開始位置を示すオフセット情報とを少なくとも含めて送信する。
【００７７】
測定設定メッセージを受信した移動局装置１は、メッセージに含まれる測定設定に基づいた測定制御を開始すると共に、測定設定完了メッセージを基地局装置２へ送信する（ステップＳ１５）。移動局装置１は、測定設定完了メッセージに測定ギャップ設定が含まれていた場合、測定ギャップを使用して下りリンクコンポーネントキャリアＤＬ＿ＣＣ２の測定を開始する。一方、測定設定完了メッセージに測定ギャップ設定が含まれていなかった場合、あるいは測定ギャップが不要であることを示す情報が設定されていた場合、移動局装置１は、移動局装置１の移動局装置能力に含まれる受信能力に基づいて調整した受信機器を用いて測定ギャップを設定せずに下りリンクコンポーネントキャリアＤＬ＿ＣＣ２の測定を開始する。
【００７８】
図３、４の各制御メッセージは、ＥＵＴＲＡで既存の制御メッセージを再利用しても良い。例えば、移動局装置能力通知メッセージはＲＲＣＣｏｎｎｅｃｔｉｏｎＳｅｔｕｐＣｏｍｐｌｅｔｅメッセージまたはＮＡＳメッセージを含むＵＬ  Ｉｎｆｏｍａｔｉｏｎ  Ｔｒａｎｓｆｅｒメッセージ、ＲＲＣ接続再設定メッセージおよび測定設定メッセージはＲＲＣ  Ｃｏｎｎｅｃｔｉｏｎ  Ｒｅｃｏｎｆｉｇｕｒａｔｉｏｎメッセージ、ＲＲＣ接続再設定完了メッセージおよび測定設定完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージに必要なパラメータを追加するのみで再利用が可能である。
【００７９】
なお、基地局装置２は、移動局装置１に対して下りリンクコンポーネントキャリアを割り当てる場合の他、移動局装置１に対して新たに任意の周波数帯域を測定させるために本実施形態と同じ方法を使用することも可能である。この場合、基地局装置２は新たな任意の周波数帯域の周波数情報（中心周波数帯域や帯域幅など）のみを移動局装置１に通知し、前記周波数情報に基づいて、測定ギャップが必要かどうかの判断を移動局装置１が行い、その判断結果を基地局装置２に通知する。そして、基地局装置２は前記判断結果に基づき、測定ギャップ設定を含んだ、または含まない測定設定メッセージを送信する。
【００８０】
このように、第１の実施形態では、移動局装置１は、下りリンクコンポーネントキャリア（及び対応する上りリンクコンポーネントキャリア）の設定がされた場合に、設定された当該下りリンクコンポーネントキャリアを測定するための測定ギャップの必要性の判断を行なう。また、移動局装置１は、測定ギャップの必要性の判断結果を基地局装置２へ通知する。基地局装置２は、通知された測定ギャップの必要性に基づいて、下りリンクコンポーネントキャリアの測定に際して測定ギャップを設定するか否かを判断する。そして、測定ギャップが必要な場合、基地局装置２は、測定ギャップ設定を含む測定設定メッセージを移動局装置１へ送信する。
【００８１】
以上のように、移動局装置１は、キャリア・アグリゲーションによって複数の下りリンクコンポーネントキャリアが設定される場合に、移動局装置１ごとに異なる受信機器の構成を取る場合であっても、基地局装置２は、設定した下りリンクコンポーネントキャリアの測定を行なうために測定ギャップが必要か否かを正確に判断することが出来る。そのため、基地局装置２が移動局装置１に対して無駄な測定ギャップを割り当てることによる通信の中断がなくなり、スループットが改善する。また、基地局装置２は、移動局装置１が測定ギャップを必要としている場合であっても、測定ギャップを設定しないという状態不一致がなくなり、効率的に測定ギャップを設定することができる。
【００８２】
＜第２の実施形態＞
本発明の第２の実施形態について以下に説明する。第１の実施形態では、基地局装置２は移動局装置１からの情報に基づいて測定ギャップの設定を行なっていたが、本実施形態では、測定設定メッセージで予め測定ギャップの設定（または非設定）を行い、移動局装置１が測定設定に対して適宜情報を修正する方法について方法について説明する。本実施形態に用いる移動局装置１と基地局装置２の構成は、それぞれ図１と図２と同じ構成で良いため説明を省略する。
【００８３】
図５は、本発明の第２の実施形態に係る移動局装置１が異周波数測定を行なう際に測定ギャップの必要性を基地局装置２へ通知する方法について示したシーケンスチャート図である。なお、図５に示す本実施形態のシーケンスチャートが開始される前に、図３に示したように移動局装置１から基地局装置２に対して移動局装置１の移動局装置能力が通知される。
【００８４】
基地局装置２は、移動局装置能力通知メッセージで通知された、移動局装置１の移動局装置能力に含まれる受信能力に基づいて、異周波数測定を行なう場合に測定ギャップが必要か否かを判断する。そして、測定ギャップが必要であると判断した場合、割り当て可能な下りリンクコンポーネントキャリアに対する測定設定を通知する場合に、移動局装置１へ測定させる周波数帯域（図５の例ではＤＬ＿ＣＣ２）と、測定ギャップ設定とを含めた測定設定メッセージを送信する（ステップＳ２０）。なお、実際には下りリンクコンポーネントキャリアＤＬ＿ＣＣ２で運用されるセルが測定対象セルとして指示され、移動局装置１は当該セルを測定することに注意する。
【００８５】
ここで、図５の基地局装置２は、キャリア・アグリゲーション可能な下りリンクコンポーネントキャリアとして２つの下りリンクコンポーネントキャリア（ＤＬ＿ＣＣ１とＤＬ＿ＣＣ２）を管理している例を示しているが、２つ以上の下りリンクコンポーネントキャリアを管理していても良い。
【００８６】
続いて移動局装置１は、無線周波数設定において指示された下りリンクコンポーネントキャリアＤＬ＿ＣＣ２に関する測定を開始するために、具備する受信機器の受信設定を更新する。（ステップＳ２１）。具体的には、移動局装置１は、その移動局装置能力に応じて使用中の受信機器の中心周波数を再調整（ｒｅｔｕｎｅ）したり、未使用の新たな受信機器を作動したりする。移動局装置１は、下りリンクコンポーネントキャリアＤＬ＿ＣＣ２を新たな無線周波数チェインを設定して測定する場合もあれば、既存の無線周波数チェインで測定する場合もある。移動局装置１は、指示された下りリンクコンポーネントキャリアＤＬ＿ＣＣ２の測定を開始するための測定設定を行なうが、この時点では下りリンクコンポーネントキャリアＤＬ＿ＣＣ２はキャリア・アグリゲーションの対象ではない。すなわち、下りリンクコンポーネントキャリアＤＬ＿ＣＣ２の状態は、設定されていない状態である。
【００８７】
また、ステップＳ２１において、移動局装置１は、下りリンクコンポーネントキャリアＤＬ＿ＣＣ２を測定するために測定ギャップが必要か否かの判断を行う。そして、移動局装置１は、下りリンクコンポーネントキャリアＤＬ＿ＣＣ２に対して測定ギャップが必要か否かの情報（ギャップ要否情報）を測定設定完了メッセージに含めて基地局装置２へ送信する（ステップＳ２２）。
【００８８】
例えば、図５のステップＳ２０に示すように、移動局装置１が基地局装置２から下りリンクコンポーネントキャリアＤＬ＿ＣＣ２に対する測定ギャップ設定を受信している場合で、下りリンクコンポーネントキャリアＤＬ＿ＣＣ２を測定するために測定ギャップが必要であると判断した場合、移動局装置１は、測定設定完了メッセージに測定ギャップが必要であることを示す情報を含めて基地局装置２へ送信する。一方、移動局装置１が基地局装置２から下りリンクコンポーネントキャリアＤＬ＿ＣＣ２に対する測定ギャップ設定を受信している場合で、下りリンクコンポーネントキャリアＤＬ＿ＣＣ２を測定するために測定ギャップが必要でないと判断した場合、移動局装置１は、測定設定完了メッセージに測定ギャップが必要でないことを示す情報を含めて基地局装置２へ送信する。
【００８９】
図６は、本発明の第２の実施形態に係る移動局装置１が異周波数測定を行なう際に測定ギャップの必要性を基地局装置２へ通知する別の方法について示したシーケンスチャート図である。なお、図６に示す本実施形態のシーケンスチャートが開始される前に、図３に示したように移動局装置１から基地局装置２に対して移動局装置１の移動局装置能力が通知される。
【００９０】
基地局装置２は、移動局装置能力通知メッセージで通知された、移動局装置１の移動局装置能力に含まれる受信能力に基づいて、異周波数測定を行なう場合に測定ギャップが必要か否かを判断する。そして、測定ギャップが不要であると判断した場合、割り当て可能な下りリンクコンポーネントキャリアに対する測定設定を通知する場合に、移動局装置１へ測定させる周波数帯域（図６の例ではＤＬ＿ＣＣ２）を含めて測定設定メッセージを送信する（ステップＳ３０）。このとき、測定ギャップ設定は測定設定メッセージに含まれない。なお、実際には下りリンクコンポーネントキャリアＤＬ＿ＣＣ２で運用されるセルが測定対象セルとして指示され、移動局装置１は当該セルを測定することに注意する。
【００９１】
ここで、図６の基地局装置２は、キャリア・アグリゲーション可能な下りリンクコンポーネントキャリアとして２つの下りリンクコンポーネントキャリア（ＤＬ＿ＣＣ１とＤＬ＿ＣＣ２）を管理している例を示しているが、２つ以上の下りリンクコンポーネントキャリアを管理していても良い。
【００９２】
続いて移動局装置１は、無線周波数設定において指示された下りリンクコンポーネントキャリアＤＬ＿ＣＣ２に関する測定を開始するために、具備する受信機器の受信設定を更新する。（ステップＳ３１）。具体的には、移動局装置１は、その移動局装置能力に応じて使用中の受信機器の中心周波数を再調整（ｒｅｔｕｎｅ）したり、未使用の新たな受信機器を作動したりする。移動局装置１は、下りリンクコンポーネントキャリアＤＬ＿ＣＣ２を新たな無線周波数チェインを設定して測定する場合もあれば、既存の無線周波数チェインで測定する場合もある。移動局装置１は、指示された下りリンクコンポーネントキャリアＤＬ＿ＣＣ２の測定を開始するための測定設定を行なうが、この時点では下りリンクコンポーネントキャリアＤＬ＿ＣＣ２はキャリア・アグリゲーションの対象ではない。すなわち、下りリンクコンポーネントキャリアＤＬ＿ＣＣ２の状態は、設定されていない状態である。
【００９３】
また、ステップＳ３１において、移動局装置１は、下りリンクコンポーネントキャリアＤＬ＿ＣＣ２を測定するために測定ギャップが必要か否かの判断を行う。そして、移動局装置１は、下りリンクコンポーネントキャリアＤＬ＿ＣＣ２に対して測定ギャップが必要か否かの情報（ギャップ要否情報）を測定設定完了メッセージに含めて基地局装置２へ送信する（ステップＳ３２）。
【００９４】
例えば、図６のステップＳ３０に示すように、移動局装置１が基地局装置２から下りリンクコンポーネントキャリアＤＬ＿ＣＣ２に対する測定ギャップ設定を受信していない場合で、下りリンクコンポーネントキャリアＤＬ＿ＣＣ２を測定するために測定ギャップが必要であると判断した場合、移動局装置１は、測定設定完了メッセージに測定ギャップが必要であることを示す情報を含めて基地局装置２へ送信する。一方、移動局装置１が基地局装置２から下りリンクコンポーネントキャリアＤＬ＿ＣＣ２に対する測定ギャップ設定を受信していない場合で、下りリンクコンポーネントキャリアＤＬ＿ＣＣ２を測定するために測定ギャップが必要でないと判断した場合、移動局装置１は、測定設定完了メッセージに測定ギャップが必要でないことを示す情報を含めて基地局装置２へ送信する。
【００９５】
図５および図６の移動局装置１は、基地局装置２から通知された測定ギャップに関する設定が実際に具備する受信機器の構成と異なる設定であった場合に、基地局装置２へギャップ要否情報を通知してもよい。つまり、異周波数測定のために測定ギャップが必要であるのに測定ギャップ設定が通知されなかった場合、または、異周波数測定のために測定ギャップが不要であるのに測定ギャップ設定が通知された場合に、移動局装置１は、基地局装置２に対して測定ギャップの必要性の判断の不一致を通知する情報を含めた測定設定完了メッセージを送信する。
【００９６】
ギャップ要否情報は、１ビットのオン／オフのフラグであっても良いし、ギャップが必要（または不要）なときのみに設定されるＢｏｏｌｅａｎ型のフラグであっても良い。複数同時に下りリンクコンポーネントキャリアが設定される場合、移動局装置１は、それぞれの下りリンクコンポーネントキャリアに対してギャップ要否情報を設定して測定設定完了メッセージを送信することも可能である。
【００９７】
図５、６の各制御メッセージは、ＥＵＴＲＡで既存の制御メッセージを再利用しても良い。例えば、測定設定メッセージはＲＲＣ  Ｃｏｎｎｅｃｔｉｏｎ  Ｒｅｃｏｎｆｉｇｕｒａｔｉｏｎメッセージ、測定設定完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージに必要なパラメータを追加するのみで再利用が可能である。
【００９８】
また、ギャップ要否情報を受信した基地局装置２は、必要であれば移動局装置１に対して指定した測定ギャップ設定に対する更新処理を行うことも出来る。例えば、測定ギャップが必要な移動局装置１に測定ギャップを設定していなければ、再度メッセージを送信することで測定ギャップの設定を行なう。また、測定ギャップが不要な移動局装置１に測定ギャップを設定していれば、再度メッセージを送信することで測定ギャップの設定を解放（ｒｅｌｅａｓｅ）する。
【００９９】
また、測定ギャップが不要であるのに、測定ギャップを割り当てられた移動局装置１は、基地局装置２に対して測定ギャップが不要であることを示す情報を通知した後に、測定ギャップを無効であると判断して、測定ギャップの区間で当該周波数帯域の受信を開始しても良い。すなわち、移動局装置１は、基地局装置２に対して測定ギャップが不要であることを示す情報を通知した後、測定ギャップの区間であっても、測定ギャップが指示された周波数帯域の下りリンク制御チャネルの監視（ｍｏｎｉｔｏｒ）を開始する。
【０１００】
このように、第１の実施形態では、移動局装置１は、下りリンクコンポーネントキャリア（及び対応する上りリンクコンポーネントキャリア）を測定するための測定設定が指示された場合に、設定された当該下りリンクコンポーネントキャリアを測定するための測定ギャップの必要性の判断を行なう。また、移動局装置１は、測定ギャップの必要性の判断結果を基地局装置２へ通知する。基地局装置２は、通知された測定ギャップの必要性に基づいて、下りリンクコンポーネントキャリアの測定に際して測定ギャップ設定を更新するか否かを判断する。
【０１０１】
以上のように、移動局装置１は、下りリンクコンポーネントキャリアを測定するための測定ギャップ設定が実際に具備する受信機器の構成と異なる場合に、基地局装置２に対して測定ギャップ設定の更新が必要か否かを通知すること出来る。そして、基地局装置２は、設定した下りリンクコンポーネントキャリアの測定を行なうために測定ギャップが必要か否かを正確に判断することが出来る。そのため、基地局装置２が移動局装置１に対して無駄な測定ギャップを割り当てることによる通信の中断がなくなり、スループットが改善する。また、基地局装置２は、移動局装置１が測定ギャップを必要としている場合であっても、測定ギャップを設定しないという状態不一致がなくなり、効率的な測定ギャップを設定することが可能となる。
【０１０２】
なお、以上説明した実施形態は単なる例示に過ぎず、様々な変形例、置換例を用いて実現することができる。
【０１０３】
また、説明の便宜上、各実施形態の移動局装置１及び基地局装置２を機能的なブロック図を用いて説明したが、移動局装置１及び基地局装置２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置１や基地局装置２の制御を行なっても良い。なお、ここでいう「コンピュータシステム」とは、ＯＳや周辺機器等のハードウェアを含むものとする。
【０１０４】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１０５】
また、上記各実施形態に用いた移動局装置１および基地局装置２の各機能ブロック、または諸特徴は、典型的にはＩＣ（集積回路）であるＬＳＩを含む回路内で構成されてもよい。その場合、ＬＳＩの集積密度はどのような密度で実現されていても良い。各機能ブロックおよび諸特徴は個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１０６】
以上、本発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１０７】
１…移動局装置
２…基地局装置
１１〜１３…送信装置
２１〜２３…受信装置
１０１、２０１…受信部
１０２、２０２…復調部
１０３、２０３…復号部
１０４…測定処理部
１０５、２０４…制御部
１０６…ランダムアクセス処理部
１０７、２０５…符号部
１０８、２０６…変調部
１０９、２０７…送信部
１１０、２１０…上位レイヤ
２０８…ネットワーク信号処理部
２０９…周辺情報管理部
【図１】
2011249964.tif 000003
【図２】
2011249964.tif 000004
【図３】
2011249964.tif 000005
【図４】
2011249964.tif 000006
【図５】
2011249964.tif 000007
【図６】
2011249964.tif 000008
【図７】
2011249964.tif 000009